【手続補正書】
【提出日】平成27年12月17日(2015.12.17)
【手続補正１】
【補正対象書類名】特許請求の範囲
【補正対象項目名】全文
【補正方法】変更
【補正の内容】
【特許請求の範囲】
【請求項１】
通信装置であって、
他の通信装置と接続する処理の開始を指示する指示手段と、
前記指示手段による指示に応じて、前記通信装置が既存のネットワークに参加するか、新たにネットワークを構築するかをユーザに選択させる選択手段と、
ユーザによって既存のネットワークに参加することが選択された場合、既存のネットワークを構築している他の通信装置を検索し、ユーザによって新たにネットワークを構築することが選択された場合、既存のネットワークを構築していない他の通信装置を検索する検索手段と、
前記検索手段によって検索された他の通信装置と接続する接続手段と、
を有することを特徴とする通信装置。
【請求項２】
前記検索手段は、ユーザによって既存のネットワークに参加することが選択された場合は、既存のネットワークを構築している他の通信装置を所定の検索処理によって検索し、ユーザによって新たにネットワークを構築することが選択された場合、既存のネットワークを構築していない他の通信装置を前記所定の検索処理とは異なる検索処理によって検索することを特徴とする請求項１記載の通信装置。
【請求項３】
前記検索手段によって検索された他の通信装置が複数ある場合、接続先となる他の通信装置を選択させるための画面を表示する表示手段を更に有することを特徴とする請求項１又は２に記載の通信装置。
【請求項４】
通信装置であって、
接続先となる他の通信装置を検索する検索手段と、
前記検索手段によって複数の他の通信装置が検索された場合、前記通信装置が既存のネットワークに参加するか、新たにネットワークを構築するかをユーザに選択させる選択手段と、
ユーザによって既存のネットワークに参加することが選択された場合、前記検索手段によって検索された他の通信装置のうち既存のネットワークを構築している他の通信装置と接続し、ユーザによって新たにネットワークを構築することが選択された場合、前記検索手段によって検索された他の通信装置のうち既存のネットワークを構築していない他の通信装置と接続する接続手段と、
を有し、
前記検索手段によって一つの他の通信装置が検索された場合、前記選択手段によってユーザに選択させることなく、前記接続手段は、前記検索手段によって検索された一つの他の通信装置と接続することを特徴とする通信装置。
【請求項５】
前記検索手段によって複数の他の通信装置が検索された場合、当該検索された複数の他の通信装置に、既存のネットワークを構築している通信装置と既存のネットワークを構築していない通信装置の両方が含まれるか判断する判断手段を更に有し、
前記選択手段は、前記判断手段によって両方の通信装置が含まれると判断された場合に、前記通信装置が既存のネットワークに参加するか、新たにネットワークを構築するかをユーザに選択させることを特徴とする請求項４に記載の通信装置。
【請求項６】
ユーザによって既存のネットワークに参加することが選択され、且つ前記検索手段によって検索された他の通信装置のうち既存のネットワークを構築している他の通信装置が複数ある場合、接続先となる他の通信装置を選択させるための画面を表示する表示手段を更に有することを特徴とする請求項４又は５に記載の通信装置。
【請求項７】
ユーザによって新たにネットワークを構築することが選択され、且つ前記検索手段によって検索された他の通信装置のうち既存のネットワークを構築していない他の通信装置が複数ある場合、接続先となる他の通信装置を選択させるための画面を表示する表示手段を更に有することを特徴とする請求項４又は５に記載の通信装置。
【請求項８】
前記選択手段は、既存のネットワークに参加するか、新たにネットワークを構築するかをユーザに選択させるための画面を、表示部に表示させることを特徴とする請求項１乃至７の何れか１項に記載の通信装置。
【請求項９】
前記既存のネットワークを構築している他の通信装置は、無線ＬＡＮのアクセスポイントとして動作している通信装置であることを特徴とする請求項１乃至８の何れか１項に記載の通信装置。
【請求項１０】
前記選択手段は、ユーザに前記通信装置の使用目的を指定させることによって、既存のネットワークに参加するか、新たにネットワークを構築するかを選択させることを特徴とする請求項１乃至９の何れか１項に記載の通信装置。
【請求項１１】
前記接続手段は、無線通信によって他の通信装置と接続することを特徴とする請求項１乃至１０の何れか１項に記載の通信装置。
【請求項１２】
前記接続手段は、ＩＥＥＥ８０２．１１に準拠した無線ＬＡＮによって、他の通信装置と接続することを特徴とする請求項１乃至１１の何れか１項に記載の通信装置。
【請求項１３】
通信装置の制御方法であって、
他の通信装置と接続する処理の開始を指示する指示ステップと、
前記指示ステップによる指示に応じて、前記通信装置が既存のネットワークに参加するか、新たにネットワークを構築するかをユーザに選択させる選択ステップと、
ユーザによって既存のネットワークに参加することが選択された場合、既存のネットワークを構築している他の通信装置を検索し、ユーザによって新たにネットワークを構築することが選択された場合、既存のネットワークを構築していない他の通信装置を検索する検索ステップと、
前記検索ステップによって検索された他の通信装置と接続する接続ステップと、
を有することを特徴とする通信装置の制御方法。
【請求項１４】
通信装置の制御方法であって、
接続先となる他の通信装置を検索する検索ステップと、
前記検索ステップによって複数の他の通信装置が検索された場合、前記通信装置が既存のネットワークに参加するか、新たにネットワークを構築するかをユーザに選択させる選択ステップと、
ユーザによって既存のネットワークに参加することが選択された場合、前記検索ステップによって検索された他の通信装置のうち既存のネットワークを構築している他の通信装置と接続し、ユーザによって新たにネットワークを構築することが選択された場合、前記検索ステップによって検索された他の通信装置のうち既存のネットワークを構築していない他の通信装置と接続する接続ステップと、
を有し、
前  記検索ステップによって一つの他の通信装置が検索された場合、前記選択ステップによってユーザに選択させることなく、前記接続ステップは、前記検索ステップによって検索された一つの他の通信装置と接続することを特徴とする通信装置の制御方法。
【請求項１５】
請求項１乃至１２の何れか１項に記載された通信装置として、コンピュータを機能させるためのプログラム。
【手続補正２】
【補正対象書類名】明細書
【補正対象項目名】００１１
【補正方法】変更
【補正の内容】
【００１１】
また、本発明の通信装置は、接続先となる他の通信装置を検索する検索手段と、前記検索手段によって複数の他の通信装置が検索された場合、前記通信装置が既存のネットワークに参加するか、新たにネットワークを構築するかをユーザに選択させる選択手段と、ユーザによって既存のネットワークに参加することが選択された場合、前記検索手段によって検索された他の通信装置のうち既存のネットワークを構築している他の通信装置と接続し、ユーザによって新たにネットワークを構築することが選択された場合、前記検索手段によって検索された他の通信装置のうち既存のネットワークを構築していない他の通信装置と接続する接続手段とを有し、前記検索手段によって一つの他の通信装置が検索された場合、前記選択手段によってユーザに選択させることなく、前記接続手段は、前記検索手段によって検索された一つの他の通信装置と接続することを特徴とする。